(57)【要約】接着工程は、二部型接着剤のうちの各部分を帯状片として接着されるページの各面に塗布することを含んでいる。二部型接着剤の部分Ａは、ページの一方の面に塗布され、同二部型接着剤の部分Ｂは、そのページの裏面に塗布される。その後、二部型接着剤のうちの各部分を対峙する面に塗布させた山積みのページは、接着剤の２つの部分を化合させ次いで硬化させるように、接着プレスによりプレスされる。【選択図】図６
2004525784.tif 000002
【特許請求の範囲】
【請求項１】
ページを支持及び／又は搬送する手段と、
前記ページの一方の面に結着用二部型接着剤のうちの第１の部分を塗布する第１の接着剤塗布器と、
前記ページの他方の面に結着用二部型接着剤のうちの第２の部分を塗布する第２の接着剤塗布器と、
を備える装置。
【請求項２】
前記ページは、前記接着剤が塗布されるときに通路に沿って搬送される、請求項１記載の装置。
【請求項３】
前記ページは、一対のピンチローラにより前記通路に沿って駆動される、請求項２記載の装置。
【請求項４】
前記ピンチローラの後に印字ヘッドが配置されている、請求項３記載の装置。
【請求項５】
前記接着剤塗布器は、前記印字ヘッドの後に配置されている、請求項４記載の装置。
【請求項６】
前記接着剤塗布器は、前記印字ヘッドの前に配置されている、請求項４記載の装置。
【請求項７】
前記接着剤塗布器は、ページ幅の接着剤塗布器である、請求項１記載の装置。
【請求項８】
前記印字ヘッドは、ページ幅の印字ヘッドである、請求項４記載の装置。
【請求項９】
前記印字ヘッドは、前記ページにオンデマンドでインクの液滴を塗布するインクジェット式印字ヘッドである、請求項４記載の装置。
【請求項１０】
前記接着剤塗布器は、前記ページが前記通路に沿って走行するときに前記ページに接触しない、請求項１記載の装置。
【請求項１１】
前記接着剤塗布器は、前記ページに接触すると共に、前記ページが前記通路に沿って搬送される速度に実質的に等しい速度で移動するように運動可能である、請求項１記載の装置。
【請求項１２】
前記接着剤塗布器は、前記通路の近くにピボット式に装着されている、請求項１１記載の装置。
【請求項１３】
前記接着剤塗布器はローラである、請求項１１記載の装置。
【請求項１４】
前記接着剤塗布器は、それぞれ接着剤の帯状片を前記ページの前縁近くに塗布する、請求項１記載の装置。
【請求項１５】
前記接着剤塗布器は、それぞれ接着剤の帯状片を前記ページの後縁近くに塗布する、請求項１記載の装置。
【請求項１６】
前記通路の各側に１つづつ、計一対の印字ヘッドが設けられており、各印字ヘッドが前記ページの各面に印刷事項を適用する、請求項１記載の装置。
【請求項１７】
前記接着剤塗布器は、それぞれ前記印字ヘッドと一体に形成されている、請求項１６記載の装置。
【請求項１８】
印刷機を通り走行するページに二部型接着剤を塗布する方法であって、
通路に沿ってページを搬送するステップと、
前記ページが前記通路に沿って走行するときに各ページに内容を印刷するステップと、
前記ページが前記通路に沿って走行するときに該ページの各面に二部型接着剤のうちの各部分を塗布するステップと、
を含む方法。
【発明の詳細な説明】
【技術分野】
【０００１】
本発明は、結着工程におけるページへの結着用二部型接着剤の塗布に関するものである。特に、本発明は、限定されるわけではないが、結着されるページの両面に結着用二部型接着剤のうちの各部分を塗布して、これらのページを互いにプレスした際に、二部型接着剤の各部分が反応して硬化するようにする塗布に関するものである。
【０００２】
結着される冊子の個々のページを印刷した後、印刷した全ページを積み重ねて山積みとし、この山積みの一つ以上の縁を切り落としてから、結着用接着剤を山積みのページの縁に塗布することによりこれらのページを結着することは良く知られている。これは、時間のかかる労働集約的な工程である。
【０００３】
より効率的なのは、予め切断した均等なサイズのページを用意して、各ページの片面又は両面に印刷すると共に、結着される縁近くで各ページの片面又は両面に接着剤を帯状に付与し、印刷され予め接着剤を付けられたページを精確に山積みに置き、接着剤でページの縁を互いに結着するように背の近くでこれらページをプレスすることであろう。
【０００４】
また、１葉のページを印刷機に通しながらそのページの一方の面に結着用二部型接着剤のうちの第１の部分を塗布し、そしてこれらページを印刷機に通しながら同ページの他方の面に結着用二部型接着剤のうちの第２の部分を塗布する方法及び装置を提供することも望ましい。
【０００５】
本発明の目的は、結着されるページに結着用二部型接着剤を塗布する方法及び装置を提供することである。
【発明の開示内容】
【０００６】
この明細書には、ページを支持及び／又は搬送する手段と、前記ページの一方の面に結着用二部型接着剤のうちの第１の部分を塗布する第１の接着剤塗布器と、前記ページの他方の面に結着用二部型接着剤のうちの第２の部分を塗布する第２の接着剤塗布器とを備える装置が開示されている。
【０００７】
ページは、接着剤が塗布されるときに通路に沿って搬送されることが好ましい。
【０００８】
ページは、一対のピンチローラにより通路に沿って駆動することが好ましい。
【０００９】
ピンチローラの後に印字ヘッドが配置されているのが好ましい。
【００１０】
各接着剤塗布器は、印字ヘッドの後に配置されているのが好ましい。
【００１１】
その代案として、各接着剤塗布器は印字ヘッドの前に配置される。
【００１２】
各接着剤塗布器は、ページ幅の接着剤塗布器であることが好ましい。
【００１３】
印字ヘッドは、ページ幅の印字ヘッドであることが好ましい。
【００１４】
印字ヘッドは、ページにオンデマンドでインクの液滴を塗布するインクジェット式印字ヘッドであることが好ましい。
【００１５】
各接着剤塗布器は、ページが通路に沿って走行するときにページに接触しないことが好ましい。
【００１６】
その代案として、各接着剤塗布器は、ページに接触すると共に、ページが通路に沿って走行する速度に実質的に等しい速度で移動するように運動可能である。
【００１７】
各接着剤塗布器が可動であれば、それらは通路の近くにピボット式に装着されるのが好ましい。
【００１８】
代案として、各接着剤塗布器はローラとすることができる。
【００１９】
各接着剤塗布器は、それぞれ接着剤の帯状片をページの前縁近くに塗布してよい。
【００２０】
その代わりに、各接着剤塗布器は、それぞれ接着剤の帯状片をページの後縁近くに塗布してよい。
【００２１】
好ましくは、通路の各側に１つづつ、計一対の印字ヘッドが設けられており、各印字ヘッドがページの各面に印刷事項を適用する。
【００２２】
各接着剤塗布器は、それぞれ印字ヘッドと一体に形成されていてよい。
【００２３】
この明細書には、更に、印刷機を通り走行するページに二部型接着剤を塗布する方法であって、通路に沿ってページを搬送するステップと、前記ページが前記通路に沿って走行するときに各ページに内容を印刷するステップと、前記ページが前記通路に沿って走行するときに該ページの各面に二部型接着剤のそれぞれの部分を塗布するステップとを含む方法が開示されている。
【００２４】
次に、本発明の好適な形態について、添付図面を参照し一例として説明することにする。
【発明を実施するための最良の形態】
【００２５】
添付図面の図１において、接着剤塗布器を含む印刷機を通過するページ１１の通路１０が概略的に描かれている。
【００２６】
ページ１１は駆動部Ｄで右方へ走行される。この駆動部Ｄは、図示のように対向する一対のピンチローラ１２を備えてよい。次いで、ページ１１は、印刷部Ｐを通り、その後、接着剤塗布部Ａを通る。別案として、接着剤塗布部Ａが印刷部Ｐに先行してもよいが、ページ１１上の接着剤が印刷部Ｐにおける単数又は複数の印字ヘッドを詰まらせないように、接着剤塗布部が印刷部の後になることが好ましい。
【００２７】
ページの片面印刷については、印刷部Ｐは、単一の印字ヘッド１３を備えてよい。印字ヘッド１３は、ページ幅に液滴をオンデマンドで供給するインクジェット式印字ヘッドとすることができる。或いは、印字ヘッドは、レーザープリンタ又はその他の印刷装置についているものでよい。ページ１１の両面に印刷される場合、対向する一対の印字ヘッド１３が設けられてよい。
【００２８】
印字ヘッド１３がインクジェット式印字ヘッドである場合、ページ１１に付着した湿性インク１５は、接着剤塗布部Ａを通過することになる。
【００２９】
ページ１１が印刷部Ｐを通る際に、そのページの各側に、各印字ヘッド１３に形成された通風路を通過する空気によって、エアクッション１４が提供されてよい。
【００３０】
接着剤塗布部Ａは、ページ１１の片側又は両側のところに接着剤塗布器１６を備えることができ、それに応じてページの片面又は両面に接着剤が塗布される。
【００３１】
図２に示すように、印刷部Ｐにより印刷された内容が載っているページ１１はまた、接着剤塗布部Ａで塗布された接着剤の帯状片１７も含んでいる。
【００３２】
図から分かるように、帯状片１７は、ページ１１の前縁２７近くに塗布することができる。前縁２８近くへの接着剤の帯状片１７の塗布は、接着剤塗布器がページに接触しないか、又はページ１１が接着剤塗布部Ａを通過するときの同ページの速度に精確に一致する速度でそのページと接触するような状況の場合に適している。代案として、帯状片１７は、ページ１１の後縁２８の近くに塗布してもよく、この位置は、ページ１１が接着剤塗布部Ａを通過するときに同ページと何らかの形で物理的な接触を行う接着剤塗布器により適している。
【００３３】
帯状片１７とページ１１の前縁２７又は後縁２８との間には約１〜２.５ｍｍの余裕があるのが望ましい。
【００３４】
ページ１１への接着剤の塗布には種々の方法が考えられるが、その内の幾つかが図３に略示されている。
【００３５】
図３の方法１は、走行中のページ１１に接着剤を塗布する非接触法である。この方法において、固定の接着剤塗布器１６は、ページ１１が同塗布器を通るときに接着剤をそのページの片面に散布する。接着剤塗布器は、印字ヘッド１３と一体に形成してもよく、或いは印字ヘッドの上流側又は下流側に配置してもよい。
【００３６】
方法２も走行中のページ１１の片面に接着剤を塗布するが、その際、接触法を用いている。接着剤塗布器１６’は、固定の枢支点を中心として揺動するように装着されると共に、ページ１１が接着剤塗布部を通過するときの速度に一致する速度で運動させられる。反動ローラ３０は、接着剤塗布器１６’がページ１１に接着剤を塗布するときに、当該ページの裏面に接触するようになる。
【００３７】
方法３は、ページ１１が接着剤塗布部を通過するときにその両面に接着剤を塗布する。揺動可能に装着された一対の接着剤塗布器１６”は、当該ページが接着剤塗布部を通過するときの速度に対応する速度で揺動する。これらの各々は、ページ１１と接触するようになると共に、ページ１１に対して垂直の互いの力成分を相互に打ち消す。
【００３８】
方法４は、接着剤を塗布するために作動されるまではページ１１の各面から離れている一対の接着剤塗布ローラ１６'''を採用しており、作動されると、該ローラは、互いの方に向かって移動してページ１１に接触し、ページのどちらの面にも接着剤の帯状片１７を残してゆく。これらのローラはページ１１に対して垂直の互いの力成分を相互に打ち消すことになる。
【００３９】
方法５では、ページ１１の各側に１つづつある一対の接着剤散布塗布器１６'''が用いられている。これら塗布器はページに接触しない。各塗布器は、帯状片１７ａ，１７ｂを塗布するようにページ１１の各面に二部型接着剤のうちの一部分を塗布する。方法１と同様に、方法５は、印字ヘッドと一体に形成された接着剤塗布器を採用しうる。即ち、二部接着剤のうちの一部分の流れを可能にする溝が各印字ヘッドに設けられている。
【００４０】
また、二部型接着剤の使用は、印刷／結着工程に多少の遅れがあるような状況の場合に有利である。例えば、印刷／結着工程の途中でコンピュータのソフトウエア又はハードウエアに誤動作があれば、二部型接着剤の使用により、問題を修正し結着工程を完了する十分な時間が与えられる。
【００４１】
図４は、一番上を除く全ページの結着される縁近くの上面に接着剤の帯状片１７が設けられて積み重ねられたページ１１を示している。
【００４２】
図５に記載された代替例では、一番下を除く全ページの結着される縁近くの下面に接着剤の帯状片１７が塗布されている。
【００４３】
図６には、一番上を除く全ページの上面に二部型接着剤の一方の部分Ａが塗布され、一番下を除く全ページの下面に二部型接着剤の他方の部分が塗布された山積みのページが示されている。
【００４４】
図４及び図５の山積みのページが互いにプレスされると、接着剤１７が一旦乾燥されればページの接着が起こる。
【００４５】
図６のページ１１が互いにプレスされると、帯状片１７ａ，１７ｂになっている二部型接着剤の各部分は、反応して硬化するように結合する。
【００４６】
印字ヘッド１３がインクジェット式印字ヘッドであり、且つ非接触の接着剤塗布方法１及び５が用いられている場合、接着剤塗布部１０を通過するページ１１上のインクが乾燥する前に、接着剤の帯状片１７が同ページに塗布される。エア間隙１４を通過するエアは、乾燥工程を促進する。即ち、ページが印字ヘッド１３を通って出るときに接着剤がこのページに塗布される。ページ１１の速度は接着剤の帯状片１７の塗布のために変化することはない。
【００４７】
帯状片１７がページ１１の前縁２７に沿って塗布される場合、ページ１１の速度にどんな変化があっても印字品質に悪影響が生じうる。従って、前縁２７に沿った接着剤の帯状片１７の塗布は、非接触の接着剤塗布方法か、或いはページに接触するようになる接着剤塗布器の速度がページ１１の速度に非常に近くなる方法を用いることによってのみ、印字品質に悪影響を及ぼすことなく可能である。
【００４８】
帯状片１７がページ１１の後縁２８に沿って塗布される場合、非接触方法か又は速度が非常に一致する方法が望ましい。例えば、方法２〜４における接着剤塗布器の速度が、ページが印字ヘッドを通過した速度よりも速かった場合、ページはゆがめられることになる。
【００４９】
本発明の最も望ましい実施例は、二部型接着剤を使用し、印字ヘッド自体の内部に接着剤塗布器を含んでいる。即ち、印字ヘッドを通る接着剤の流れの単数又は複数の通路は、空間及び費用効率を高くする。
【００５０】
接着剤が“ねばねばするようになって(gumming)”係る通路を遮断する可能性は、二部型接着剤が採用された場合に軽減される。即ち、二部型接着剤のうちの一方の部分のみが印字ヘッドのうちのどれか特定の通路を通過する。
【００５１】
二部型接着剤のそれぞれの部分がページ１１の両面に塗布される場合、これらの部分は、ページのどちらの側にもある各印字ヘッド中の専用通路を通過することができる。これは、流れ通路における接着剤の遮断可能性を大きく低減させることになろう。
【００５２】
接着剤、又は二部型接着剤の各部分は、インクを印字ヘッドに供給する交換可能のインクカートリッジのチャンバ内に用意しておくことができる。
【００５３】
印字ヘッド１３は、ピンチローラ１２にできるだけ接近しているべきである。その理由は、ローラ１２がページ１１を機械的に束縛して精度の良い印刷を可能にするからである。
【００５４】
ピンチローラ１２、印字ヘッド１３及び接着剤塗布器１６は、図７に、ページ支持トレー１８と並んで示されている。即ち、ページ支持トレー１８は、紙通路１０を出たページ１１を受け取る。トレー１８は、各角部のところにあるダンパー２２によりフレーム２１から懸架されている。該ダンパーは、例えば、ゴム系ダンパー、或いは小型の液圧又は空圧シリンダとすることができる。トレー１１の底は水平ではない。トレーが有する最下方の角部２３の直下にはバイブレータもしくは振動装置１９が設けられている。この振動装置１９は、例えば、低周波バイブレータ（即ち、２０ｈｚ未満の周波数を有する振動装置）又は不均衡(out-of-balance)電気モータとすることができる。接着プレス２０は、ページ１１の各前縁の停止位置の上でトレー１８の上方に位置している。しかし、代案として、この接着プレス２０は、ページの後縁の上に位置するように設けることができる。
【００５５】
図８において、最初のページ１１は、トレー１８への途中の状態で示されている。このページ１１は、その前縁に隣接して上面に接着剤の帯状片１７を有している。ページ１１は、浮動して所定位置に入るときにページの直下にエアポケットを捕らえる傾向があり、前縁２８は図９に示すように垂直壁３１にぶつかるようになる。振動装置１９によるトレー１８の振動によって、ページ１１は、前縁２７を壁の下縁部２３と並置させると共にページの直角隅部をトレー１８の前壁３２に接触させた状態で、停止させられる。
【００５６】
図１１において、次位のページ１１は、トレー１８への途中の状態で示されている。最初のページと同様の運動中、次位のページは、最初のページの上にきてそれと完全に整列した位置において停止するようになる。この次位のページは図１３に示したような位置に入って停止する。ページが接着剤の帯状片１７をその上面に塗布させている場合、最終ページは、何ら接着剤なしに供給され、図４に示すようにページ層の一番上に乗って置かれるようになる。その代わりに、ページ１１の大部分が接着剤の帯状片１７をその下面に塗布させていれば、最初のページ（即ち、ページ層の一番下にあるページ）には接着剤は何ら塗布されていない。これは、繰返しの接着圧縮に適している。
【００５７】
図１５に示すように、接着プレス２０は、整列した接着剤の帯状片１７の上で山積みのページ１１に向かい下方への運動を開始する。次いで、この山積みは図１６に示すように圧縮されて製本済み冊子２４になる。
【００５８】
標準寸法のページ１１が最初に使用されている限り、結着済み冊子の縁を後からトリミングする必要はないことに注目すべきである。これは、前述したように、振動装置１９が各ページをトレー１８の最下方の隅部２３に位置合わせするためである。
【００５９】
図１７及び図１８において、複数の結着済み冊子２４は、一番上の冊子がプレス２０を繰り返し作用させることによって漸次圧縮されて、互いに積み重ねられ示されている。
【００６０】
接着プレス２０は、図に概略的に示されており、空圧又は液圧により駆動されるか、或いはラック・ピニオンのような機械的手段、電磁ソレノイド又はその他の手段により駆動されうる。図２０，２１及び２２に記載された別の実施例は複数の半円形ディスク２０’を含んでおり、各ディスクは、間隔をおいて配置されているが、回転軸線２６に沿って延びる共通の可回転被動軸に固着されている。各ディスク２０’は、トレー１８の端壁３１に形成された各垂直スロット３２を通ることができる。即ち、ディスク２０’が存在する数と同数の垂直スロットが壁３１にある。これらのディスクは、図２１に示された向きで作動を開始し、被動軸の回転と同時に、ページを下方にプレスするように、図２０及び図２１に示された方向に枢回する。
【００６１】
トレー１８は、同トレー内の一番上のページがプレス装置の近くに常に存在するように高さ調節可能の底を備えていてよい。これにより、接着プレス２０のストローク長さが最小となって、騒音レベルが低減する。更に、プレス２０を固定しておいて、トレーをプレスに向かい押し上げて、ページを接着することができる。
【００６２】
トレー１８の底は、各ページ１１がそこに搬送されるにつれて下方に移動するように駆動されてよい。これは、一番上のページが常に同一レベルにあることを確実にする。これによって、効率的にページを接着するためにトレーが遠くへ移動する必要がないので、プレスバー２０の運動による騒音が低減される。
【００６３】
ページが後縁２８に並んで接着剤の帯状片を塗布されている場合、プレスは、図２３に示すように、左側に設けることができる。この実施例においては、プレスバー２０”が設けられている。しかし、どんなプレス装置が設けられていてもよい。
【図面の簡単な説明】
【００６４】
【図１】通路に沿って運ばれてページ幅の印字ヘッド及び接着剤塗布器を通過するページの概略説明図である。
【図２】１つの縁の近くに接着剤の帯状片を有するページの概略説明図である。
【図３】５種の選択的な接着剤塗布方法を概略的に図解する表である。
【図４】一番上のページを除く全ページが接着される縁の近くの上面に接着剤の帯状片を塗布されている多数のページの概略正面図である。
【図５】一番下のページを除く全ページが接着される縁の近くの下面に接着剤の帯状片を塗布されている山積みのページの概略正面図である。
【図６】一番上のページを除く全ページの上面に二部型接着剤のうちの第１の部分が塗布されており、一番下のページを除く全ページの下面に二部型接着剤のうちの第２の部分が塗布されている山積みのページの概略正面図である。
【図７】接着剤塗布器の直ぐ下流に配置されたページ結着用支持トレーの概略斜視図である。
【図８】上面の縁近くに接着剤の帯状片を有する最初のページを途中に示している、図７のページ結着用支持トレーの概略横断立面図である。
【図９】ページがその停止位置により接近している、図８のページ及びページ結着用支持トレーの概略横断立面図である。
【図１０】ページがページ結着用支持トレー上の停止位置にある、図８及び図９のページ及びページ結着用支持トレーの概略横断立面図である。
【図１１】最初のページの上の停止位置に進むときの次のページを示す、ページ結着用支持トレーの概略横断立面図である。
【図１２】最初のページの上の停止位置に進むときの次のページを示す、ページ結着用支持トレーの概略横断立面図である。
【図１３】最初のページの上の停止位置に進むときの次のページを示す、ページ結着用支持トレーの概略横断立面図である。
【図１４】接着される多数のページが上に停止しているページ結着用支持トレーの概略横断立面図であり、一番上のページを除く全ページがその縁近くに、上に向いている接着剤の帯状片を有している。
【図１５】山積みされたページの縁に向かうページ接着プレスの進行を示している。
【図１６】接着プレスを作用させることによりページがそれらの縁に沿って接着されているページ結着用支持トレーを示している。
【図１７】上に停止している多数の個々の冊子を有するページ結着用支持トレーの横断立面図であり、一番上の冊子がプレスしうる状態にある。
【図１８】一つの冊子の上に別の冊子が乗って全冊子がプレスされた、図１７の冊子及びページ結着用支持トレーの概略横断立面図である。
【図１９】合本された多数の冊子の概略斜視説明図である。
【図２０】別案のプレスを有するページ結着用支持トレーの概略正面図である。
【図２１】図２０に示した別案のプレスの一部の概略斜視図である。
【図２２】図２０に示した別案のプレスの一部の概略斜視図である。
【図２３】接着される山積みのページの後縁のところに別案のプレスを有しているページ装丁用支持トレーの概略正面図である。
【符号の説明】
【００６５】
１０…通路、１１…ページ、１２…ピンチローラ、１３…印字ヘッド、１５…インク、１６，１６’，１６”…接着剤塗布器、１６'''…接着剤塗布ローラ、１７，１７ａ，１７ｂ…接着剤の帯状片、１８…ページ支持トレー（ページを支持及び／又は搬送するための手段）、２７…ページの前縁、２８…ページの後縁、Ｐ…印刷部（印刷機）。
【図３】
2004525784.tif 000003
【国際公開パンフレット】
2004525784.tif 000004
2004525784.tif 000005
2004525784.tif 000006
2004525784.tif 000007
2004525784.tif 000008
2004525784.tif 000009
2004525784.tif 000010
2004525784.tif 000011
2004525784.tif 000012
2004525784.tif 000013
2004525784.tif 000014
2004525784.tif 000015
2004525784.tif 000016
2004525784.tif 000017
2004525784.tif 000018
2004525784.tif 000019
2004525784.tif 000020
2004525784.tif 000021
2004525784.tif 000022
2004525784.tif 000023
2004525784.tif 000024
2004525784.tif 000025
2004525784.tif 000026
【国際調査報告】
2004525784.tif 000027
2004525784.tif 000028